(57)【要約】【課題】画像形成装置の各部を調整するための補正値の煩雑な入力作業を低減し、補正値の入力ミスを防止し、補正値の入力の正確性を向上させること。【解決手段】テストチャート紙を出力するプリント部と、補正値が入力される複数の補正値入力ボタンが設けられた調整画面を表示する操作表示部と、テストチャート紙を調整画面と隣り合わせの位置に保持する装着部と、を備え、補正値入力ボタンは、補正値入力ボタンにより装着部に保持されたテストチャート紙上の補正値を入力するために参照される領域の位置と対応する位置に設けられている画像形成装置。【選択図】図３
2010145569.tif 000002
【特許請求の範囲】
【請求項１】
テストチャートを用紙に形成して出力する画像形成部と、
補正値が入力される複数の補正値入力ボタンが設けられた操作画面を表示する操作表示部と、
前記テストチャートが形成された用紙を前記操作画面と隣り合わせの位置に保持する装着部と、
を備え、
前記補正値入力ボタンは、
前記補正値入力ボタンにより前記装着部に保持されたテストチャートが形成された用紙上の前記補正値を入力するために参照される領域の位置と対応する位置に設けられている、
画像形成装置。
【請求項２】
前記操作画面には、
前記補正値入力ボタンの位置と、前記装着部に保持されたテストチャートが形成された用紙上の前記補正値を入力するために参照される領域の位置と、を対応付ける指標が表示されている、
請求項１に記載の画像形成装置。
【請求項３】
前記テストチャートが形成される用紙には、
前記補正値入力ボタンの位置と、前記装着部により保持されたテストチャートが形成された用紙上の前記補正値を入力するために参照される領域の位置と、を対応付ける指標を示す画像が形成される、
請求項１又は２に記載の画像形成装置。
【請求項４】
前記画像形成部は、
透明用紙に、前記補正値入力ボタンの位置と、前記装着部により保持されたテストチャートが形成された用紙上の前記補正値を入力するために参照される領域の位置と、を対応付ける指標を示す画像を形成して出力し、
前記装着部は、
前記指標を示す画像が形成された透明用紙が上面に重畳された前記テストチャートが形成された用紙を前記操作画面と隣り合わせの位置に保持する、
請求項１又は２に記載の画像形成装置。
【請求項５】
前記指標は、
前記テストチャート上の参照される領域を識別する目盛りである、
請求項２に記載の画像形成装置。
【請求項６】
前記指標は、
前記補正値入力ボタンと、前記装着部により保持されたテストチャートが形成された用紙上の前記補正値を入力するために参照される領域の位置と、を結ぶガイド線である、
請求項２から４のいずれか一項に記載の画像形成装置。
【発明の詳細な説明】
【技術分野】
【０００１】
本発明は、画像形成装置に関する。
【背景技術】
【０００２】
近年、複写機やプリンタ等の画像形成装置は、画像形成装置を構成する各部の調整を行う機能を有している。この調整機能としては、予め設定されたテストチャートを形成したよう紙（以下、テストチャート紙と称す。）をプリンタ部により出力させ、ユーザにより出力されたテストチャート紙が参照され、ユーザにより各部を調整するための補正値が入力されると、当該入力された補正値に基づいて各部の調整を行うものが知られている。
【０００３】
例えば、画像形成装置に設定された設定値を補正して画像形成位置を調整する画像形成位置の調整方法において、設定値を補正する調整値を複数用意し、調整値毎に当該調整値により設定値を補正した場合の画像形成位置に、画像形成領域を表示するテストチャートの画像データに基づいてプリント出力し、出力されたプリントに基づいて入力された調整値に基づいて設定値を補正する技術が開示されている（特許文献１参照）。
【特許文献１】特開２００３−２６６８９８号公報
【発明の開示】
【発明が解決しようとする課題】
【０００４】
しかしながら、調整すべき項目が多数ある場合、操作画面上における各項目に対する補正値を入力するボタンのレイアウトと、テストチャート紙上おける各項目に対する参照位置のレイアウトとが異なるため、操作画面上のボタンの位置と、当該ボタンに対応するテストチャート紙上の参照位置との対応関係が分かり辛いという問題がある。
【０００５】
例えば、操作画面上には、各項目に対するボタンが複数列に配列されたレイアウトであるのに対し、テストチャート紙上の各項目に対する参照位置は、主走査方向に一列に配列されたレイアウトである場合がある。この場合、ある項目に対する補正値を入力する場合には、ユーザがテストチャート紙上の参照位置を探したのち、操作画面上に目線を移して当該項目に対応する操作画面上のボタンを探すこととなる。項目が多くなればなるほど、このような目線の移動や、操作画面とテストチャート紙とでの項目の検索動作の回数が多くなる。従って、ユーザにとって補正値の入力作業が煩雑となり、また、補正値の入力ミスが生じる可能性が高くなるという問題が生じる。
【０００６】
本発明の課題は、上記問題に鑑みて、画像形成装置の各部を調整するための補正値の煩雑な入力作業を低減し、補正値の入力ミスを防止し、補正値の入力の正確性を向上させることである。
【課題を解決するための手段】
【０００７】
請求項１に記載の発明は、テストチャートを用紙に形成して出力する画像形成部と、補正値が入力される複数の補正値入力ボタンが設けられた操作画面を表示する操作表示部と、前記テストチャートが形成された用紙を前記操作画面と隣り合わせの位置に保持する装着部と、を備え、前記補正値入力ボタンは、前記補正値入力ボタンにより前記装着部に保持されたテストチャートが形成された用紙上の前記補正値を入力するために参照される領域の位置と対応する位置に設けられている、画像形成装置である。
【０００８】
請求項２に記載の発明は、請求項１に記載の画像形成装置において、前記操作画面には、前記補正値入力ボタンの位置と、前記装着部に保持されたテストチャートが形成された用紙上の前記補正値を入力するために参照される領域の位置と、を対応付ける指標が表示されている。
【０００９】
請求項３に記載の発明は、請求項１又は２に記載の画像形成装置において、前記テストチャートが形成される用紙には、前記補正値入力ボタンの位置と、前記装着部により保持されたテストチャートが形成された用紙上の前記補正値を入力するために参照される領域の位置と、を対応付ける指標を示す画像が形成される。
【００１０】
請求項４に記載の発明は、請求項１又は２に記載の画像形成装置において、前記画像形成部は、透明用紙に、前記補正値入力ボタンの位置と、前記装着部により保持されたテストチャートが形成された用紙上の前記補正値を入力するために参照される領域の位置と、を対応付ける指標を示す画像を形成して出力し、前記装着部は、前記指標を示す画像が形成された透明用紙が上面に重畳された前記テストチャートが形成された用紙を前記操作画面と隣り合わせの位置に保持する。
【００１１】
請求項５に記載の発明は、請求項２に記載の画像形成装置において、前記指標は、前記テストチャート上の参照される領域を識別する目盛りである。
【００１２】
請求項６に記載の発明は、請求項２から４のいずれか一項に記載の画像形成装置において、前記指標は、前記補正値入力ボタンと、前記装着部により保持されたテストチャートが形成された用紙上の前記補正値を入力するために参照される領域の位置と、を結ぶガイド線である。
【発明の効果】
【００１３】
請求項１に記載の発明によれば、補正値が入力される補正値入力ボタンが、テストチャートが形成された用紙上の補正値を入力するために参照される領域の位置と対応する位置に設けられるため、補正値を入力する際の目線の移動や補正値入力ボタンの検索作業等の煩雑な入力作業を低減でき、補正値の入力ミスを防止できるため、補正値の入力の正確性を向上できる。
【００１４】
請求項２に記載の発明によれば、請求項１と同様の効果を得られるのは勿論のこと、補正値入力ボタンの位置とテストチャート上の参照される領域の位置との対応関係を視認し易くできる
【００１５】
請求項３に記載の発明によれば、請求項１又は２と同様の効果を得られるのは勿論のこと、補正値入力ボタンの位置とテストチャート上の参照される領域の位置との対応関係を視認し易くできる
【００１６】
請求項４に記載の発明によれば、請求項１又は２と同様の効果を得られるのは勿論のこと、ガイドを示す画像が形成された透明用紙をテストチャートが形成された用紙の上面に重畳して操作画面と隣り合わせの位置に保持させることにより、補正値入力ボタンの位置とテストチャート上の参照される領域の位置との対応関係を視認し易くできる。
【００１７】
請求項５に記載の発明によれば、請求項２と同様の効果を得られるのは勿論のこと、指標として目盛りを用いることができる。
【００１８】
請求項６に記載の発明によれば、請求項２から４のいずれか一項と同様の効果を得られるのは勿論のこと、ガイド線により、補正値入力ボタンの位置とテストチャート上の参照される領域の位置との対応関係を視認し易くできる。
【発明を実施するための最良の形態】
【００１９】
以下、図を参照して本実施の形態を詳細に説明する。
まず、構成を説明する。
図１に、本実施の形態における画像形成装置１の機能的構成図を示す。
【００２０】
図１に示すように、画像形成装置１は、本体制御部１０と、画像読取部２０と、操作表示部３０と、プリント部４０と、プリンタコントローラ５０等を備えて構成される。
【００２１】
本体制御部１０は、制御部１１０、不揮発メモリ１２０、画像メモリ１３０、画像処理部１４０等を備え、各部は制御部１１０によって制御されている。
【００２２】
制御部１１０は、ＣＰＵ（Central Processing Unit）、ＲＯＭ（Read Only Memory）、ＲＡＭ（Random Access Memory）等から構成され、ＲＯＭ又は不揮発メモリ１２０に格納されているシステムプログラム及び各種アプリケーションプログラム、各種データの中から指定されたプログラムやデータを読み出してＲＡＭに展開し、ＲＡＭに展開されたプログラムとの協働で、各種処理を実行し、画像形成装置１の各部を集中制御する。
例えば、制御部１１０は、操作表示部３０やプリンタコントローラ５０を介して接続された外部装置から入力される指示信号に従って、コピーモード、プリンタモード、スキャナモードを切り替え、複写、プリント、画像データの読取等の制御を行う。
【００２３】
また、制御部１１０は、ＲＯＭ又は不揮発メモリ１２０から本実施の形態に係る補正値設定処理プログラムや必要な各種データを読み出し、当該プログラム及び各種データとの協働により、補正値設定処理を制御する。
【００２４】
補正値設定処理では、画像形成装置を構成する各部を調整する複数の調整項目のうち、操作表示部３０により指定された調整項目において、当該調整項目に設定されている設定値を補正するためのテストチャート紙が出力され、当該テストチャート紙に基づいて設定値を補正するための補正値の入力が受け付けられる。
【００２５】
不揮発メモリ１２０は、画像形成に係る各種処理プログラム及びデータの他、本実施の形態に係る補正値設定処理プログラムや、各種データ、各種プログラムで処理されたデータ等を記憶する。
【００２６】
画像メモリ１３０は、ＨＤＤ（Hard Disk Drive）、ＤＲＡＭ（Dynamic RAM）等により構成され、画像データを読み書き可能に記憶する。画像メモリ１３０は、制御部１１０からの指示により、画像読取部２０又はプリンタコントローラ５０から入力された画像データを記憶して保存したり、画像メモリ１３０に記憶されている画像データを読み出して画像処理部１４０に出力する。
【００２７】
画像処理部１４０は、画像読取部２０、プリンタコントローラ５０又は画像メモリ１３０から入力された画像データにスクリーン処理等の各種画像処理を施して制御部１１０又は画像メモリ１３０に出力する。画像処理部１４０は、例えば、画像読取部２０から入力されたアナログの画像信号をデジタルの画像データに変換したり、デジタルの画像データを圧縮して画像メモリ１３０に出力したり、圧縮画像データを伸長して出力したりする。
【００２８】
画像読取部２０は、ＣＣＤ、画像読取制御部、ＡＤＦ（Auto Document Feeder）と称される自動原稿送り部や読取部等から構成される。画像読取制御部は、制御部１１０からの指示に基づいて自動原稿送り部、読取部等を制御して、複数の原稿の画像を読み取る。読み取られたアナログ画像信号は画像処理部１４０に出力される。ここで、画像とは、図形や写真等のイメージデータに限らず、文字や記号等のテキストデータ等も含む意である。
【００２９】
画像読取部２０により読み取られた画像データ（アナログ画像信号）は、画像処理部１４０に出力され、画像処理部１４０においてＡ／Ｄ変換され各種画像処理が施された後、プリント部４０に出力される。
【００３０】
操作表示部３０は、ＬＣＤ（Liquid Crystal Display）、ＬＣＤを覆うように設けられたタッチパネル３１、スタートボタン、操作表示制御部、その他図示しない操作キー等から構成される。操作表示部３０は、操作キー群又はタッチパネル３１から入力される操作信号を制御部１１０に出力する。
【００３１】
操作表示部３０は、操作表示制御部により制御部１１０から入力される表示信号に従って、各種設定条件を入力するための各種設定画面や各種処理結果等をＬＣＤに表示する。
また、本実施の形態の操作表示部３０は、各種調整項目において、各項目の設定値を補正するための補正値が入力される操作画面としての後述する調整画面を表示する。
【００３２】
プリント部４０は、入力されたプリントデータに基づいて、電子写真方式の画像形成処理を行うものであり、給紙部、給紙搬送部、各色の画像形成部４１、定着部、搬出部等のプリント出力に係る各部やプリント制御部を備えて構成される。
また、プリント部４０は、各種調整項目の設定値に応じてテストチャートを用紙に形成してテストチャート紙を出力する。
【００３３】
給紙部は、複数の給紙トレイを備える。各給紙トレイには、用紙の種類（紙種、坪量、サイズ）毎に予め識別された用紙が格納されており、用紙の最上部から一枚ずつ給紙搬送部に向けて搬送される。給紙搬送部は、給紙トレイから搬送された用紙を、複数の中間ローラ、レジストローラ等を経て画像形成部の転写装置へと搬送する。
【００３４】
画像形成部４１は、画像を形成感光体ドラム、帯電装置、露光装置、現像装置、一次転写ローラ、クリーニング装置等を備え、画像を用紙上に形成する。
例えば、画像形成装置１がカラー画像を形成するものである場合、画像形成部１が色毎に設けられる。この場合、帯電装置により帯電された感光体ドラムに、露光装置からイエロー（Ｙ）の画像データに応じた光が照射され静電潜像が形成される。そして、静電潜像が形成された感光体ドラムの表面に帯電したイエロー（Ｙ）のトナーが現像装置により付着されて静電潜像が現像される。現像装置によりトナーが付着された感光体ドラムは、一次転写ローラが配置された転写位置へ一定速度で回転されながら中間転写ベルトに転写される。中間転写ベルトにトナーが転写された後、クリーニング装置により、感光体ドラムの表面の残留電荷や残留トナー等が除去される。用紙に転写されたトナー像は、定着装置により熱定着され、イエロー（Ｙ）のトナー像が熱定着された画像が形成された用紙が排紙ローラに挟持されて搬出口から排出される。同様に、各色の画像形成部４１は、感光体ドラムの周囲に配置された帯電装置、露光装置、現像装置、一次転写ローラ、クリーニング装置を備え、マゼンタ（Ｍ）、シアン（Ｃ）、ブラック（Ｋ）の画像をそれぞれ形成する。
【００３５】
定着装置は、用紙に転写されたトナー画像を熱定着する。搬出部は、定着処理された用紙を、排紙ローラ等により挟持して排紙トレイ上に排出する。
【００３６】
プリンタコントローラ５０は、画像形成装置１をネットワークプリンタとして使用する場合に、ＬＡＮ（Local Area Network）等に接続されるＰＣ（Personal Computer）等の外部装置から送信されたデータを画像形成装置１に出力する。
【００３７】
次に、本実施の形態の動作を説明する。
図２に、本実施の形態における補正値設定処理のフローチャートを示す。本処理は、制御部１１０と各部とが協働して実行するものである。
【００３８】
まず、制御部１１０は、操作表示部３０により指定された調整項目の調整画面をタッチパネル３１上に表示する（ステップＳ１）。
【００３９】
図３に、調整画面Ｇ１を表示した操作表示部３０の例を示す。
図３に示す操作表示部３０には、調整画面Ｇ１を表示するタッチパネル３１と、装着部
３２ａ、３２ｂとが設けられている。
【００４０】
図３に示す調整画面Ｇ１は、複数のＬＥＤチップアレイから構成されるＬＰＨを露光装置として用いている場合において、各ＬＥＤチップアレイ間のギャップによる光量ムラを調整するものである。本実施形態のＬＰＨは、４０個のＬＥＤチップアレイが主走査方向に一列に配置されているものとする。この場合、ＬＰＨチップアレイ間のギャップは、主走査方向に３９箇所存在することとなる。
図３に示す調整画面Ｇ１は、ＬＰＨチップアレイ間のギャップによる光量ムラを調整するための光量の設定値を補正するための補正値が入力される操作画面である。
【００４１】
図３に示すように、調整画面Ｇ１には、ＯＫボタンＢ１、キャンセルボタンＢ２、戻るボタンＢ３、テストチャート設定領域Ｅ１、補正値設定領域Ｅ２が設けられている。
【００４２】
テストチャート設定領域Ｅ１には、出力するテストチャートの選択を受け付けるボタンＢ５ａ、Ｂ５ｂ、テストチャート紙に補正位置を示す補助線を重畳させるか否かを設定するボタンＢ６ａ、Ｂ６ｂ、印刷モードボタンＢ４が設けられている。印刷モードボタンＢ４は、テストチャート選択領域Ｅ１１及びライン描画領域Ｅ１２に設定された条件でテストチャート紙を出力させる指示を受け付ける。
【００４３】
補正値設定領域Ｅ２には、調整値入力ボタンＢ７ａ、Ｂ７ｂと、補正値が入力される複数の入力領域Ｅ２１と、ガイド目盛りＧＳ１〜ＧＳ３と、ガイド線ＧＬとが設けられている。本実施形態の入力領域Ｅ２１は、テストチャート紙上の補正値を入力するために参照される各領域の位置と対応する位置に設けられている。本実施形態の入力領域Ｅ２１は、ＬＥＤチップアレイ間のギャップの位置に対応する位置に設けられており、調整画面Ｇ１上に３９個設けられている。
【００４４】
各入力領域Ｅ２１には、項目選択ボタンＢ８と補正値表示領域Ｅ２１ａとが設けられている。項目選択ボタンＢ８は、調整値入力ボタンＢ７ａ、Ｂ７ｃにより入力される補正値により設定値が補正される項目（本実施の形態ではＬＥＤチップアレイ間のギャップの光量）を選択するためのものである。項目選択ボタンＢ８は、押下されて選択された場合、他の項目選択ボタンＢ８とは異なる色等の異なる表示態様で表示されることが好ましい。補正値表示領域Ｅ２１ａは、調整値入力ボタンＢ７ａ、Ｂ７ｂにより入力された補正値又は予め設定されている補正値を表示する。
【００４５】
ガイド目盛りＧＳ１〜ＧＳ３は、各入力領域の位置と、テストチャート紙上の補正値を入力するために参照される領域の位置と、を対応付ける指標であり、テストチャート紙上の各領域を識別する目盛りである。本実施形態のガイド目盛りＧＳ１〜ＧＳ３は、各入力領域の位置をＬＥＤチップアレイ間のギャップの位置と対応付ける目盛りとしてテストチャート紙の主走査方向の幅と同じ長さの帯状画像を３９個の領域に分割したものを用いる。この帯状画像の１０個目毎の領域の色は、他の分割された領域とは異なる色で表示している。
また、ガイド目盛りＧＳ１は、テストチャート紙Ｔが装着部３２ａ、３２ｂに保持された際に調整画面Ｇ１内で最もテストチャート紙Ｔに近い位置に表示される。
【００４６】
ガイド線ＧＬもガイド目盛りＧＳ１〜ＧＳ３と同様に、各入力領域の位置と、テストチャート紙上の補正値を入力するために参照される領域の位置と、を対応付ける指標である。ガイド線ＧＬは、各入力領域と、各入力領域のテストチャート紙上の補正値を入力するために参照される領域の位置と、を視覚的に結ぶ線である。
図３に示すガイド線ＧＬは、各項目選択ボタンと、各項目選択ボタンに対応するガイド目盛りの領域と、を結ぶ線である。
【００４７】
装着部３２ａ、３２ｂは、テストチャート紙Ｔを調整画面Ｇ１と隣り合わせの位置保持する部材である。例えば、装着部３２ａ、３２ｂとして、バネ等の張力により開閉する部材（クリップ等）を用いて、テストチャート紙Ｔを挟んで止めるものである。
【００４８】
図３に示すように、テストチャート紙Ｔが調整画面Ｇ１と隣り合わせの一に保持されることにより、調整画面Ｇ１とテストチャート紙Ｔとが、物理的に連続するように見える。そのため、ユーザは、入力領域に対応するテストチャート紙上の参照すべき領域を探すとき、入力領域Ｅ２１から延びたガイド目盛りＧＳ１〜ＧＳ３とガイド線ＧＬとを目線で追うことにより、テストチャート上の参照すべき領域を容易に見つけることができる。
【００４９】
制御部１１０は、調整画面を表示させた後（ステップＳ１後）、テストチャートの設定を受け付ける（ステップＳ２）。ステップＳ２では、調整画面Ｇ１のテストチャート設定領域Ｅ１にてテストチャートの選択やライン描画像の有無の設定が受け付けられる。
【００５０】
制御部１１０は、印刷モードボタンＢ４が押下されると、ステップＳ２で設定された条件に応じて、画像メモリから画像データを読み出し、画像処理部１４０及びプリント部４０によりテストチャート紙を出力させる（ステップＳ３）。
【００５１】
テストチャート紙が出力されると、出力されたテストチャート紙は、ユーザにより装着部３２ａ、３２ｂに保持される（ステップＳ４）。そして、テストチャート紙がユーザにより目視されて補正値の調整が必要か否かのチェックが行われる（ステップS５）。
【００５２】
制御部１１０は、補正値の調整が必要とチェックされたか否かを判別する（ステップＳ６）。補正値の調整が必要でない場合（ステップＳ６；ＮＯ）、制御部１１０は、調整画面を閉じて補正値設定処理を終了する。ステップＳ６；ＮＯの場合とは、例えば、調整画面Ｇ１の戻るボタンＢ３が押下された場合である。
【００５３】
補正値の調整が必要である場合（ステップＳ６；ＹＥＳ）、制御部１１０は、調整画面の補正値設定領域Ｅ２により、各項目の補正値の入力を受け付け、補正値の調整を行う（ステップＳ７）。ステップＳ６；ＹＥＳの場合とは、例えば、調整画面Ｇ１の調整値設定領域Ｅ２内のボタンが押下された場合である。
【００５４】
制御部１１０は、補正値の調整を行った後（ステップＳ７後）、調整完了か否かを判別する（ステップＳ８）。調整完了でない場合（ステップＳ８；ＮＯ）、制御部１１０は、ステップＳ７の処理に戻る。
【００５５】
調整完了の場合（ステップＳ８；ＹＥＳ）、制御部１１０は、ステップＳ３の処理に戻る。ステップＳ８；ＹＥＳの場合とは、例えば、調整画面Ｇ１のＯＫボタンＢ１が押下された後、印刷モードボタンＢ４が押下された場合である。
【００５６】
図４に、調整画面の他の例を表示した操作表示部３０と、テストチャート紙の他の例を示す。図４に示す調整画面Ｇ２は、図３に示す調整画面Ｇ１と同一の部分には同一の符号を付し、説明は省略する。
【００５７】
図４に示すガイド目盛りＧＳ４には、テストチャート紙Ｔが装着部３２ａ、３２ｂに保持された際に調整画面Ｇ１内で最もテストチャート紙Ｔに近い位置に向かってガイド線ＧＬが延びている。
【００５８】
また、図４に示すテストチャート紙Ｔには、調整画面Ｇ１と近接する副走査方向Ｙの端部に、各入力領域の位置と、テストチャート紙上の補正値を入力するために参照される領域の位置と、を対応付けるガイド線を示す画像（ガイド線画像ＧＬＰ）が形成されている。
なお、図４に示すテストチャート紙Ｔに形成されるガイド線画像は、直線であるがこれに限らない。例えば、テストチャート紙の主走査方向の長さがガイド目盛りよりも長く、調整画面の幅よりも長い場合、ガイド線画像は、テストチャート紙上の補正値を入力するために参照される各領域の位置から各入力領域の位置又はガイド目盛りの各領域に向かって伸びる曲線であってもよい。
【００５９】
更に、図４に示すテストチャート紙の替わりに、図３に示すテストチャート紙とガイドチャート紙を用いてもよい。ガイドチャート紙は、図３に示すテストチャート紙を出力した後、ＯＨＰ用紙等の透明用紙にガイド線画像（ガイドチャート）が形成されて出力されたものである。
【００６０】
テストチャート紙が用紙の画像形成可能領域内にガイド線画像を形成する領域が無いものである場合（例えば、用紙の全面にテストチャートが形成されるものである場合等）、図３に示すテストチャート紙の上面にガイドチャート紙を重畳させることで、図４に示すテストチャート紙の代替えとすることができる。このように、ガイドチャート紙をテストチャート紙の上面に重畳して入力画面と並置させて取り付けることにより、項目選択ボタンＢ８の位置と、テストチャート紙上の補正値を入力するために参照される領域の位置と、の対応関係を視認し易くできる。
【００６１】
図５に、調整画面の他の例を表示した操作表示部３０と、テストチャート紙の他の例を示す。図５に示す調整画面Ｇ３は、図３又は図４に示す調整画面Ｇ１、Ｇ２と同一の部分には同一の符号を付し、説明は省略する。
【００６２】
補正値設定領域Ｅ３には、調整値入力ボタンＢ７ａ、Ｂ７ｂと、項目選択ボタンＢ８と、入力領域Ｅ３１と、ガイド目盛りＧＳ４、ＧＳ５と、ガイド線ＧＬとが設けられている。
【００６３】
図５に示す入力領域Ｅ３１には、項目表示領域Ｅ３１ａと、補正値表示領域Ｅ３１ｂとが設けられている。入力領域３１は、選択された項目選択ボタンＢ８に対する補正値を入力するものであり、項目選択ボタンＢ８が選択された際に表示されるポップアップ画面であってもよい。項目表示領域Ｅ３１ａは、選択された項目の識別番号を表示する。補正値表意領域Ｅ３１ｂは、選択された項目に対する調整値入力ボタンＢ７ａ、Ｂ７ｂにより入力された補正値又は予め設定されている補正値を表示する。
【００６４】
ガイド目盛りＧＳ５は、ガイド目盛りＧＳ１〜ＧＳ３と同様に、各入力領域の位置と、テストチャート紙上の補正値を入力するために参照される領域の位置と、を対応付ける指標であり、テストチャート紙上の領域を識別する目盛りである。
【００６５】
以上のように、本実施形態によれば、補正値が入力される入力領域Ｅ２１の項目選択ボタンＢ８が、テストチャート紙上の補正値を入力するために参照される領域の位置と対応する位置に設けられるため、補正値を入力する際における調整画面とテストチャート紙との間での目線の移動や項目選択ボタンＢ８の検索作業等の煩雑な入力作業を低減でき、補正値の入力ミスを防止できるため、補正値の入力の正確性を向上できる。
【００６６】
また、ガイド目盛りやガイド線の指標により、項目選択ボタンＢ８の位置とテストチャート紙上の補正値を入力するために参照される領域の位置との対応関係を視認し易くできる。
【００６７】
更に、項目選択ボタンＢ８の位置と、テストチャート紙上の補正値を入力するために参照される領域の位置と、を対応付けるガイド線画像がテストチャート紙に形成されるため、項目選択ボタンＢ８の位置とテストチャート紙上の補正値を入力するために参照される領域の位置との対応関係を視認し易くできる。
【００６８】
調整画面のガイド線、テストチャート紙に形成されたガイド線画像又はガイドチャート紙により、ガイド線を目線で追うことで項目選択ボタンＢ８の位置と、テストチャート紙上の補正値を入力するために参照される領域の位置と、の対応関係を視認し易くできる。
【００６９】
本発明は、上記実施の形態の内容に限定されるものではなく、本発明の主旨を逸脱しない範囲で適宜変更可能である。
【図面の簡単な説明】
【００７０】
【図１】画像形成装置の機能的構成図である。
【図２】補正値設定処理のフローチャートである。
【図３】調整画面を表示した操作表示部の例を示す図である。
【図４】調整画面の他の例を表示した操作表示部と、テストチャート紙の他の例を示した図である。
【図５】調整画面の他の例を表示した操作表示部と、テストチャート紙の他の例を示した図である。
【符号の説明】
【００７１】
１  画像形成装置
１０  本体制御部
２０  画像読取部
３０  操作表示部
３１  タッチパネル
３２ａ、３２ｂ  装着部
４０  プリント部
４１  画像形成部
５０  プリンタコントローラ
１１０  制御部
１２０  不揮発メモリ
１３０  画像目盛り
１４０  画像処理部
Ｂ１  ＯＫボタン
Ｂ２  キャンセルボタン
Ｂ３  戻るボタン
Ｂ４  印刷モードボタン
Ｂ５ａ、Ｂ５ｂ  テストチャート選択ボタン
Ｂ６ａ、Ｂ６ｂ  ライン描画選択ボタン
Ｂ７ａ、Ｂ７ｂ  調整値ボタン
Ｂ８  項目選択ボタン
Ｅ１  テストチャート設定領域
Ｅ２  補正値設定領域
Ｅ２１、Ｅ３１  入力領域
Ｅ２１ａ、Ｅ３１ｂ  補正値表示領域
Ｅ３１ａ  項目表示領域
Ｇ１、Ｇ２、Ｇ３  調整画面
ＧＬ  ガイド線
ＧＬＰ  ガイド線画像
ＧＳ１〜ＧＳ５  ガイド目盛り
Ｔ  テストチャート紙
【図１】
2010145569.tif 000003
【図２】
2010145569.tif 000004
【図３】
2010145569.tif 000005
【図４】
2010145569.tif 000006
【図５】
2010145569.tif 000007